【事件の表示】
　平成４年特許願第２２２９９３号「インクジェット記録用シート」拒絶査定不服審判事件〔平成６年３月８日出願公開、特開平６−６４３０６〕について、次のとおり審決する。
【結　論】
　本件審判の請求は、成り立たない。
【理　由】
１．手続の経緯・本願発明
　本願は、平成４年８月２１日の出願であって、その請求項１ないし３に係る発明は、平成４年８月２６日、平成１２年９月１１日及び平成１６年５月２１日付けの手続補正書により補正された明細書の記載からみて、その特許請求の範囲の請求項１ないし３に記載されたとおりのものであり、請求項１に係る発明は次のとおりのものと認める。
「紙の両面を樹脂で被覆してなる樹脂被覆紙支持体の少なくとも片面にインク受容層を設けたインクジェット記録用シートにおいて、ゼラチンを含有してなる該インク受容層であり、且つ該インク受容層塗液を支持体上に塗布し、一旦ゲル状態にして後、コールドドライ法により乾燥されてなる該インク受容層であることを特徴とするインクジェット記録用シート。」（以下「本願請求項１に係る発明」という。）
　
２．引用刊行物記載の発明
　当審における拒絶の理由に引用された、刊行物１ないし４には下記の事項がそれぞれ記載されている。
　
（刊行物１：特開平１−１４６７８４号公報の記載事項）
（１）「透明な支持体の少なくとも片面に酸処理ゼラチンとフッ素系界面活性剤とを含有する層を設けることを特徴とするインクジェット記録用シート。」（特許請求の範囲）
（２）「本発明の第一の目的は・・・第三の目的は解像力および色再現性に優れた高画質のインクジェット記録を与えるインクジェット記録用のシートを提供することにある。」（第２頁左下欄第６行目〜第１８行目）
（３）「本発明の用いられる酸処理ゼラチンとしては、・・・例えば、「写真光学の基礎」（銀塩写真編）。１２２〜１２４頁（コロナ社発行）・・・が挙げられる。」（第２頁右下欄第９行目〜第１７行目）
　
（刊行物２：特開平４−２１６９９０号公報の記載事項）
（１）「支持体及びその上に配置された蛋白質含有の結合剤を含有するインク吸収層からなるインクジェットプリンティング法のための光沢表面を有する記録材料において、ポリオレフィン塗被原紙に粒度２０μｍ以下を有するゼラチンおよび澱粉からの混合物を含有するインク吸収層が塗被されていることを特徴とする記録材料。」（【請求項１】）
（２）「・・・ゼラチンの澱粉に対する量比が１：１〜１０：１である請求項１記載の記録材料」（【請求項２】）
（３）「インクジェット法で作成される像は・高い解像、・高い色濃度、・十分な色調差、・良好な耐ふき取り性、にすぐれていなければならない。これを達成するためには、次の条件を満足しなければならない。すなわち、・記録材料はインクをできるだけ早く吸収しなければならない、・噴射されるインク滴はできるだけ正確に（円状）かつ十分に互いに区切られて走らなければならない、記録材料におけるインクの拡散はインクの点の直径が絶対必要以上に大きくならないように速くあってはならない、・・・高い視感反射濃度および色彩の大きい輝きを達成するためには、記録材料は光沢ある表面でなければならない。」（【０００４】【０００５】）
（４）「本発明の課題は前記記載の欠陥がなく・・・耐ふき取り性と・・・印刷像の高い色濃度に特にすぐれる、・・・さらに本発明の課題は光沢のある表面を有する記録材料を、・・・付加的な光沢加工程なしで提供することにある。」（【００１６】【００１７】）
（５）「原紙の塗被に使用されるポリオレフィンは主として低密度のポリエチレン・・・高密度ポリエチレン・・・である。」（【００２３】）
（６）「例１　ポリエチレン塗被された原紙の表面１）を次の塗被材料で塗被した。【表１】・・・その他の試験条件・・・　・乾燥温度１００℃・乾燥時間１〜２分」（【００２９】〜【００３１】）
（７）【表１】には、塗被材料の成分としてゼラチンが含有されることが記載されている。
　
（刊行物２記載の発明）
　以上の記載事項から、刊行物２には以下の発明が記載されている。
「ポリエチレン塗被された原紙表面に、インク吸収層を設けたインクジェット記録材料において、インク吸収層がゼラチンを含有してなり、ゼラチンを塗被後１００℃で乾燥したインク吸収層であるインクジェット記録材料。」（以下「刊行物２記載の発明」という。）
　
（刊行物３：特開平３−１３７２８３号公報の記載事項）
（１）「インクジェット染色をするに際し、水溶性高分子を含む溶液を布帛に付与し、該溶液の流動性を失わせる処理を行って非流動化させ、次いで布帛中で非流動化状態を保ったまま乾燥させることを特徴とするインクジェット染色用布帛の製造方法。」（特許請求の範囲第１項）
（２）「水溶性高分子を含む溶液が、ゼラチンを含む溶液である請求項（１）または（３）に記載のインクジェット染色用布帛の製造方法。」
（特許請求の範囲第５項）
（３）「流動性を失わせる処理が、冷却である請求項（１）・・（５）のいずれかに記載のインクジェット染色用布帛の製造方法。」
（特許請求の範囲第８項）
（４）「本発明によると水溶性高分子を含む溶液を、布帛に付与し、ゲル化や凍結などの手段で繊維間で流動性を失わせると、前期のような繊維束内部への移動がなく、均一な状態のままで乾燥することができる。この場合水溶性高分子は繊維束内部に固められることなく、繊維間隙にスポンジ構造に近い形で薄片状として多く存在し、表面積が大きいためインクが付与されたとき溶けやすく滲みが止まりやすい。」
（第３頁左下欄第１７行目〜同右下欄第５行目）
（５）「実施例３〜４　比較例４〜５　漂白、精錬した絹織物・・・に、６０℃に保温した下記の前処理液を付与し下記条件で処理した。　実施例３　ゼラチン５％　イオン交換水９５％　濡れたままの状態で、５℃の冷却室にいれ冷却して、非流動化し、その温度を保ったまま送風乾燥した。・・・・比較例４　実施例３と同じ前処理液を付与したのち、１３０℃のピンテンターで乾燥した。」（第６頁左下欄下から５行目〜同右下欄第１５行目）
（６）第２表には、実施例３の滲みが０．３ｍｍであり、比較例４の滲みが３．８ｍｍであることが記載されている。（第７頁左欄　第２表）
　
（刊行物４：日本写真学会編「写真工学の基礎−銀塩写真編−」コロナ社　昭和５５年７月２０日　第１３２頁〜第１３３頁の記載事項）
（１）「（３）ゼラチン膜の特性　シート状に凝固させたゼラチン・ゲル中の水分を、例えば、風乾で蒸発させると、ゼラチン膜が得られる。一方、ゼラチン・ゾルを、ゲルを生成しない程度の高温（例えば６０℃）に保ちながら乾燥しても、外観上は区別のつかないゼラチン膜が得られる。前者をcold gelatin film(以下、Ｃ−膜という)、後者をhot gelatin film(以下、Ｈ−膜という)と呼んでいる。・・・構造では、Ｃ−膜は・・・中にコラーゲンの４次構造近似の構造を持っていることがわかる。・・・物性では、水に対する溶解性と機械的特性に差がある、すなわちＨ−膜はＣ−膜に比べて著しく溶解性が大きく、室温で溶解する。しかし吸湿性では、・・・吸湿性の順序は、コラーゲン膜＞Ｃ−膜＞Ｈ−膜のようになっている。」
（第１３２頁第１１行目〜第１３３頁第３行目）
　
３．対比
　本願請求項１に係る発明と、刊行物２記載の発明とを比較すると、刊行物２記載の発明の「ポリエチレン塗被された原紙」「インク吸収層」「インクジェット記録材料」は、本願請求項１記載の発明の「紙の両面を樹脂で被覆してなる樹脂被覆紙支持体」「インク受容層」「インクジェット記録用シート」に相当するから、本願請求項１に係る発明と刊行物２記載の発明との間には、下記の一致点及び相違点がある。
（一致点）
　紙の両面を樹脂で被覆してなる樹脂被覆紙支持体の少なくとも片面にインク受容層を設けたインクジェット記録用シートにおいて、ゼラチンを含有してなるインク受容層であり、インク受容層塗液を支持体上に塗布し、乾燥されてなるインク受容層であるインクジェット記録用シートである点。
（相違点）
　本願請求項１に係る発明は、インク受容層塗液を塗布し、一旦ゲル状態にして後、コールドドライ法により乾燥させたものであるのに対して、刊行物２には、１００℃で乾燥させることが記載されている点。
　
４．判断
（相違点について）
　インクジェット記録用シートに関する文献である刊行物１でインク吸収層の酸処理ゼラチンを説明するために引用された「写真光学の基礎」（銀塩写真編）コロナ社である、刊行物４には、乾燥させたゼラチン膜には、ゼラチン・ゲル中の水分を風乾で蒸発させたものであるＣ−膜と、ゼラチン・ゾルをゲルを生成しない程度の高温に保ちながら乾燥したものであるＨ−膜があること、Ｃ−膜はコラーゲンの４次構造近似の構造を持っていること、吸湿性は、Ｃ−膜＞Ｈ−膜であることが記載されている。刊行物４は、銀塩写真の分野の刊行物ではあるが、インクジェット記録用シートに関する刊行物１で引用されていることから、刊行物４のゼラチンに関する記載は、インクジェット記録シートの分野でも知られていたといえる。また、刊行物３には、布帛にゼラチンを含有した塗布液を塗布し、５℃に冷却して非流動化し、その温度を保ったまま送風乾燥したインクジェット染色用の布帛が記載され、この乾燥方法により、ゼラチンは繊維束内部に固められることなく、繊維間隙にスポンジ構造に近い形で薄片状として多く存在し、表面積が大きいためインクが付与されたとき溶けやすく滲みが止まりやすいことが記載されている。繊維間隙部分に着目すれば、冷却セット後、ゲル化温度以下で乾燥された繊維間隙のゼラチンは、スポンジ構造に近い形 、刊行物４でいう４次構造近似の構造を有しており、インクが低温乾燥されたゼラチンの吸湿性により吸着されやすく、結果として滲みにくいものとなっているといえる。そうしてみると、刊行物２記載の発明において、ゼラチン含有塗液を塗布後乾燥させる方法として、刊行物３、４に記載された、一旦ゲル状態にしてから、ゲル化温度以下で乾燥させるコールドドライ法を採用することは当業者が容易になし得たものといえる。また、それに伴い奏される画像の鮮明性、解像性、均一性とインクの吸着性という効果は、刊行物３、４の記載から予測されるものである。また、光沢性について検討すると、請求人は意見書で、本願明細書【０００５】【００２１】の記載を根拠として、ゼラチンを高温乾燥したものは不十分な光沢しか得られない旨主張するが、本願明細書【０００４】には、従来支持体上に多孔質のインク吸収層を設けてなる記録用紙シートが使用されていたことが記載され、【０００５】には、これら従来の記録シートは光沢が低く使用に耐えなかったことが記載されているにすぎず、高温乾燥したゼラチン含有層を有するシートの光沢性については記載されていない。また、本願【００２１】に「インク受容層塗液を塗布した後、急速に温度を上げ塗布層をセットさせずに乾燥した場合は塗液の均斉性が悪く、光沢も低かった。さらにインクの吸収性も低く、またドットの再現性も悪いものであった。」と記載されているが、明細書中で具体的に効果が確認されているものは、均一画像部ムラ、にじみ、文字描画性だけであり、光沢性については確認されていない。また、刊行物２には、高温乾燥のものでも光沢のある表面が得られることが記載され、刊行物４（第１３２頁第１３行目）には、Ｃ−膜とＨ−膜が外観上は区別がつかないゼラチン膜であることが記載されており、光沢性において本願発明のものが、高温乾燥のものと比べて顕著な効果��あることが具体的に示されていない以上、その効果が顕著であると認めることはできず、刊行物２、４の記載から予測し得る程度のものといえる。
　
５．むすび
　以上のとおり、本願請求項１に係る発明は、刊行物１ないし４に記載された発明に基づいて当業者が容易に発明をすることができたものであるから、特許法第２９条第２項の規定により特許を受けることができない。
 したがって、請求項２ないし３についての判断を示すまでもなく、本願は拒絶すべきものである。
  よって、結論のとおり審決する。